(57)【要約】      （修正有）【課題】簡単に製造することができ、様々な変化に富んだ装飾形態とすることができる装飾用タックを提供する。【解決手段】装飾用タックは、裏面に粘着層１４が形成されたプラスチックシート１６からなるベース１２と、ベース１２に重ね合わされた複数枚のプラスチックシート１８との夫々の中心部１２ａ、１８ａが固着されて結合されて構成され、被装飾部に貼付されて使用される。【選択図】図２
0003182244.tif 000002
【実用新案登録請求の範囲】
【請求項１】
裏面に粘着層が形成されたプラスチックシートからなるベースと、ベースに重ね合わされた複数枚のプラスチックシートとの夫々の中心部が固着されて結合され、中心部以外の部分でプラスチックシートがベースから離反してなり、
前記複数枚のプラスチックシートは隣り合うプラスチックと、その形状、配置、大きさ、色、模様及び透明度のうちのいずれか少なくとも１つが異なるものであることを特徴とする装飾用タック。
【請求項２】
ベースとベースの上にあるプラスチックシートとの夫々の中心部の間には、紐の一部が挿入されて、該紐の一部と前記中心部が一緒に固着されて結合されることを特徴とする請求項１記載の装飾用タック。
【請求項３】
前記ベースのすぐ上にあるプラスチックシートは円形をなすことを特徴とする請求項２記載の装飾用タック。
【考案の詳細な説明】
【技術分野】
【０００１】
本考案は、箱、袋等のパッケージまたはその他の任意の被装飾部に用いられる装飾用タックに関する。
【背景技術】
【０００２】
従来、箱、袋等のパッケージ等の装飾としては、リボンを用いて、そのリボンの一端を折り重ねて花形状等にしているものが知られている。しかしながら、その製造に手間がかかり、また装飾形態に変化が乏しい、という問題がある。
【考案の概要】
【考案が解決しようとする課題】
【０００３】
本考案はかかる課題に鑑みなされたもので、簡単に製造することができ、様々な変化に富んだ装飾形態とすることができる装飾用タックを提供することをその目的とする。
【課題を解決するための手段】
【０００４】
上記目的を達成するために、本考案による装飾用タックは、裏面に粘着層が形成されたプラスチックシートからなるベースと、ベースに重ね合わされた複数枚のプラスチックシートとの夫々の中心部が固着されて結合され、中心部以外の部分でプラスチックシートがベースから離反してなり、
前記複数枚のプラスチックシートは隣り合うプラスチックと、その形状、配置、大きさ、色、模様及び透明度のうちのいずれか少なくとも１つが異なるものであることを特徴とする。
【０００５】
また、請求項２記載の考案は、請求項１記載のものにおいて、ベースとベースの上にあるプラスチックシートとの夫々の中心部の間には紐の一部が挿入されて、該紐の一部と前記中心部が一緒に固着されて結合されることを特徴とする。
【０００６】
請求項３記載の考案は、請求項２記載の前記ベースのすぐ上にあるプラスチックシートが円形をなすことを特徴とする。
【考案の効果】
【０００７】
本考案によれば、ベースと、ベースに重ね合わされたプラスチックシートとの中心部を固着して結合することで、簡単に装飾用タグを製造することができる。ベースに重ね合わされるプラスチックシートの装飾形態を様々なものとすることによって、様々な変化に富んだ装飾性を持たせることができる。
【０００８】
また、ベース及びプラスチックシートを重ね合わせることで、立体的な形状とすることができて、斬新な装飾性を持たせることができる。重ね合わせるプラスチックシートの枚数は任意であるが、複数枚とすることにより装飾性を高めることが可能になる。
【０００９】
ベースの上に重ね合わされる複数枚のプラスチックシートは同一の形状、配置、大きさ、色、模様または透明度のいずれかを異ならしめることにより、様々な変化に富んだ装飾性を持たせることができる。
【００１０】
また、紐の一部が前記中心部に一緒に固着されている場合には、紐の別の部分で被装飾部を巻回することができて、装飾性を高めることができる。また、紐を、被装飾部の固定手段として利用することも可能になる。この場合、ベースのすぐ上にあるプラスチックシートが円形であることによって、ベースと該円形のプラスチックシートの間に紐の別の部分を巻き付けた場合に、紐がプラスチックシートの縁部に引っ掛ることがない。
【図面の簡単な説明】
【００１１】
【図１】本考案の装飾用タックの実施形態を表す平面図である。
【図２】図１の装飾用タックの断面図である。
【図３】図１の装飾用タックの使用状態を表す図である。
【図４】別の装飾形態を持つ装飾用タックの平面図である。
【図５】装着用タックの固着工程の一例を表す図である。
【図６】本考案の装飾用タックの第２の実施形態を表す平面図である。
【図７】図６の装飾用タックの断面図である。
【図８】図６の装飾用タックの使用状態を表す図である。
【考案を実施するための形態】
【００１２】
以下、図面を用いて本考案の実施の形態を説明する。
図１は本考案の装飾用タックの平面図である。図１は、装飾用タック１０の未使用状態を表しており、装飾用タック１０は剥離紙２０に剥離可能に付着されている。
【００１３】
装飾用タック１０は、ベース１２と、ベース１２に重ね合わされた１枚以上のプラスチックシート１８、１８とから構成される。
【００１４】
ベース１２は、裏面に粘着層１４が形成されたプラスチックシート１６からなる。粘着層１４は、使用時、剥離紙２０から分離されて被装飾部に貼付される。プラスチックシート１６は軟質プラスチックシートとするとよく、これによって、被装飾部の形状に凹凸等があってもその形状に追従することができる。また、プラスチックシート１６は透明シートとするとよく、これによって、被装飾部に貼付されたときに、ベース１２が目立たないようにすることができる。プラスチックシート１６の材質としては、ポリ塩化ビニル、ポリエチレン、ポリプロピレン等の任意のプラスチック材料とすることが可能である。この例では、ベース１２は円形形状となっている。
【００１５】
プラスチックシート１８、１８は、ベース１２とは形状、配置、大きさ、色、模様及び透明度のうちのいずれか少なくとも１つが異なる装飾性を有するシートとするとよく、隣り合うプラスチックシート１８、１８同士も形状、配置、大きさ、色、模様及び透明度のうちのいずれか少なくとも１つが異なるシートとするとよい。また、プラスチックシート１８、１８の枚数は、１枚以上とすることができるが、複数の枚数とすることによって、より装飾性を高め立体性を高めることができる。プラスチックシート１８に模様を付する場合には、印刷により行うことができ、水玉模様、ストライプ模様または名入れを模様としたものとすることができる。
【００１６】
図１の例では、各プラスチックシート１８は複数の花弁が連なった花状の形状をなしており、隣り合うプラスチックシート１８、１８との間でその花弁の位相がずれた、異なる配置となっている。図４に示すように、プラスチックシート１８の形状を変えることにより、様々な変化に富んだ装飾形態とすることができる。
【００１７】
プラスチックシート１６及びプラスチックシート１８のそれぞれの厚みは、０．０２〜０．５ｍｍとするとよく、一般的に「フィルム」と呼ばれる薄肉のものであってもよい。
【００１８】
ベース１２とプラスチックシート１８、１８は、互いの中心部１２ａ、１８ａが固着されて結合される。固着手段としては、高周波溶着、熱溶着、超音波溶着、縫製、接着等の任意の手段を用いることができる。例えば、プラスチックシートに粘着層を塗布して、剥離紙を被覆したシートを用意し、そのシートにベース１２の輪郭形状に合致した切込みを入れて、ベース１２に該当する部分以外の部分を除去したシートＳを用意する。そして、そのシートＳのベース１２に該当する部分に予め用意した複数のプラスチックシート１８、１８を重ね合わせて、それぞれの中心部１２ａ、１８ａに型電極ヘッド３０または加熱ヘッド３０を押し当て、それぞれのプラスチックシートを溶着して固着することができる（図５参照）。こうして、簡単に装飾用タック１０の製造を行うことができる。ヘッド３０には適宜凹凸面３０ａが設けられるとよく、これによって、凸面となった部分の圧力を高めて固着を確実にすると共に、中心部１８ａ、１２ａに凹凸形状が形成されて装飾性をさらに高めることができる。
【００１９】
また、プラスチックシート１８の中心部１８ａをベース１２に押し付けることによって、プラスチックシート１８の中心部１８ａ以外の周辺部がベース１２から離反する方向に反り上がるために、立体性を出すことができる。
【００２０】
以上のように構成される装飾用タック１０を使用するには、装飾用タック１０を剥離紙２０から剥がし、任意の被装飾部へと貼付することで、装飾効果を持たせることができる。直接の被装飾部がパッケージの包装紙である場合、その貼付箇所は、図３（ａ）に示すような包装紙を留めるための箇所とすることができ、装飾用タック１０によって包装紙の固定手段を兼用することができる。または、図３（ｂ）に示すように、装飾用タック１０を固定手段として機能させずに、装飾用としてのみ貼付することも可能である。
【００２１】
図６ないし図８は、本考案の装飾用タックの第２の実施形態を表す図である。この例では、ベース１２と、ベース１２に重ね合わされたプラスチックシートのうちのベース１２のすぐ上にあるプラスチックシート１８−１との夫々の中心部１２ａ、１８ａの間に紐２２の一端部が挟まれて一緒に固着されている。図５に示すように、紐２２は、中心部１２ａ、１８ａの固着の際に一緒に固着される。この場合、ベース１２のすぐ上にあるプラスチックシート１８−１は保護シートとして機能する。保護シートの形状は円形であるとよく、これによって、紐２２の残りの部分が保護シート１８−１の縁部に引っ掛ることがなく、また保護シート１８−１の上のプラスチックシート１８の形状が円形以外の形状であっても、プラスチックシート１８−１によって、他のプラスチックシート１８に紐２２が引っ掛ることを防ぐことができる。
【００２２】
この実施形態による装飾用タック１０を使用するには、装飾用タック１０を剥離紙２０から剥がし、任意の被装飾部へと貼付した後、紐２２で被装飾部を巻回して紐２２の自由端をベース１２と保護シート１８−１との間に巻き付けることで、紐２２を被装飾部に設けることができる。
【００２３】
この場合、被装飾部に巻回された紐２２は、被装飾部を留めるための固定手段として機能することも可能である。または、紐２２を固定手段として機能させずに、装飾用としてのみ機能させることも勿論、可能である。
【００２４】
以上のように本考案の装飾用タックは簡単に製造することができ、プラスチックシート１８とベース１２との組み合わせにより様々な変化に富んだ装飾性を持たせることができる。
【符号の説明】
【００２５】
１０  装飾用タック
１２  ベース
１２ａ  中心部
１４  粘着層
１６  プラスチックシート
１８  プラスチックシート
１８ａ  中心部
１８−１  プラスチックシート（保護シート）
【図１】
0003182244.tif 000003
【図２】
0003182244.tif 000004
【図３】
0003182244.tif 000005
【図４】
0003182244.tif 000006
【図５】
0003182244.tif 000007
【図６】
0003182244.tif 000008
【図７】
0003182244.tif 000009
【図８】
0003182244.tif 000010